(57)【特許請求の範囲】
【請求項１】
帯状板が屈曲されて断面コ字状を成し一対の支持脚の間に固定板面が形成され該固定板面に矩形状の係合孔を開口した取付ベースと、該取付ベースの係合孔に係合して配線部材を固定する配線支持金具とで構成され、前記取付ベースは、支持脚の壁面当接部位に爪状に突出した複数の回転防止片が設けられると共に、固定板面の１箇所に開穿されたボルト挿通孔の位置で壁面に固定するように構成され、前記配線支持金具は、一対の係合脚部の間に固定面部が形成され、これら係合脚部と固定面部とで配線部材の側面を囲む断面コ字状を成し、該係合脚部は、平面略Ｔ字形状に広がった係止端部を備え、該係止端部を前記取付ベースの係合孔の一端部に拡開形成した導入口から係合孔に係合するように構成した配線支持金具において、該配線支持金具は、前記固定面部の前記配線部材側に配置され、前記配線部材の周側面に沿って接触する押え具と、前記固定面部にネジ止めされて押え具を前記配線部材の側面に押圧固定する固定ネジとを備え、該固定ネジに緩み止め用のロックナットを装着したことを特徴とする配線支持金具。
【請求項２】
前記取付ベースの前記係合孔端部の裏側に、前記導入口から導入した前記係止端部を仮止めする係止突起を設けた請求項１記載の配線支持金具。
【請求項３】
前記取付ベースにおいて、前記ボルト挿通孔を前記取付ベースの長手中央部に開穿すると共に、前記回転防止片は、前記取付ベースの長手中央から両端部に至るに伴って高さが次第に高くなるように構成した請求項１又は２記載の配線支持金具。
【請求項４】
前記取付ベースの前記係合孔の係合縁に、凹凸形状を成した滑り止めを形成した請求項１乃至３いずれか記載の配線支持金具。
【発明の詳細な説明】
【技術分野】
【０００１】
本発明は、例えばトンネル内の湾曲している壁面に沿って各種のケーブル類を配線する際に、施工作業を簡略化し施工費の削減も可能な配線支持金具に関する。
【背景技術】
【０００２】
トンネルの湾曲した壁面に沿ってケーブルや電線管等を固定する場合、予め壁面に台座を取り付け、ケーブル類を両側から挟み込む配線支持金具を台座に係合する工事が行われている。また、ケーブル類を跨ぐように門字形に形成された配線支持金具を台座に係合する場合もある。いずれの場合も、湾曲した壁面に予め台座を取り付ける必要がある。
【０００３】
従来の台座としてチャンネル材が使用されている。このチャンネル材を壁面に固定するには、壁面にアンカーボルトを埋設し、チャンネル材の長手両端部にアンカーボルトを貫通させ固定ナットで固定する。
【０００４】
一方、ケーブル類を両側から挟み込む従来の配線支持金具として、例えば特許文献１に示される配管類用締付け固定具が提案されている。この締付け固定具は、配管類を両側から押圧する押圧部を形成すると共に、予めトンネル壁面に台座として固定した取付け部材に押圧部を係合する。
【０００５】
トンネル壁面に固定する取付け部材は、板部材をコの字状に屈曲形成し、水平な受止め部と一対の脚部とで構成されている。更に、この受止め部に長方形状の開口部が形成されている。そして、配管類を固定する場合は、まず取付け部材の長手中央部を貫通するビスにて壁面にねじ止め固定し、次に、固定された受止め部の開口部に、配管類を挟んだ一対の押圧部を係合して配管類を固定するものである。
【先行技術文献】
【特許文献】
【０００６】
【特許文献１】特許第２９０９４０４号公報
【発明の概要】
【発明が解決しようとする課題】
【０００７】
従来の台座としてチャンネル材が使用されている場合、１本の台座を壁面に固定するために、予め２か所のアンカーを壁面に埋設する必要がある。したがって、トンネル内の距離が長くなるほど、施工時間や施工費用が掛かるものであった。しかも、ケーブル類を跨ぐように門字形に形成された配線支持金具等を使用する場合は、この配線支持金具を固定する位置を予めチャンネル材に墨出しする必要もあった。
【０００８】
一方、特許文献１に示される固定具によると、取付け部材の長手中央部を貫通する１本のビスにて固定する構成であるから、このビスを中心として取付け部材が回転し、取付け部材に固定するケーブルの固定位置がずれてしまう虞があった。
【０００９】
しかも、この固定具は、配管類を両側から挟み込む一対の押圧部を使用しているので、これらの押圧部を取付け部材の開口部に係合させながら押圧部相互をネジ止めするといった作業を要することから、固定作業に多くの手間と時間が掛かるものであった。
【００１０】
そこで本発明は上述の課題を解消すべく創出されたもので、トンネル内の湾曲した壁面や天井面等に、各種ケーブル、電線管等の配線部材を設置する際の施工作業を簡略化することができ、しかも、施工費の削減も可能になる配線支持金具を提供することにある。
【課題を解決するための手段】
【００１１】
上述した課題を解決するため、本発明の第１の手段は、帯状板が断面コ字状に屈曲されて一対の支持脚１１の間に固定板面１２が形成され、該固定板面１２に矩形状の係合孔１３を開口した取付ベース１０と、取付ベース１０の係合孔１３に係合して配線部材Ｐを固定する配線支持金具２０とで構成され、前記取付ベース１０は、支持脚１１の壁面当接部位に爪状に突出した複数の回転防止片１５が設けられると共に、固定板面１２の１箇所に開穿されたボルト挿通孔１４の位置で壁面に固定するように構成され、前記配線支持金具２０は、一対の係合脚部２１の間に固定面部２２が形成され、これら係合脚部２１と固定面部２２とで配線部材Ｐの側面を囲む断面コ字状を成し、該係合脚部２１は、平面略Ｔ字形状に広がった係止端部２１Ａを備え、該係止端部２１Ａを前記取付ベース１０の係合孔１３の一端部に拡開形成した導入口１３Ａから係合孔１３に係合するように構成した配線支持金具において、該配線支持金具２０は、前記固定面部２２の前記配線部材Ｐ側に配置され、前記配線部材Ｐの周側面に沿って接触する押え具２３と、前記固定面部２２にネジ止めされて押え具２３を前記配線部材Ｐの側面に押圧固定する固定ネジ２４とを備え、該固定ネジ２４に緩み止め用のロックナット２５を装着したものである。
【００１２】
第２の手段は、前記取付ベース１０の前記係合孔１３端部の裏側に、前記導入口１３Ａから導入した前記係止端部２１Ａを仮止めする係止突起１３Ｂを設けたものである。
【００１３】
第３の手段は、前記取付ベース１０において、前記ボルト挿通孔１４を前記取付ベース１０の長手中央部に開穿すると共に、前記回転防止片１５は、前記取付ベース１０の長手中央から両端部に至るに伴って高さが次第に高くなるように構成している。
【００１４】
第４の手段は、前記取付ベース１０の前記係合孔１３の係合縁に、凹凸形状を成した滑り止め１６を形成したものである。
【発明の効果】
【００１６】
本発明の請求項１のように、取付ベース１０は、支持脚１１の壁面当接部位に爪状に突出した複数の回転防止片１５が設けられると共に、固定板面１２の１箇所に開穿されたボルト挿通孔１４の位置で壁面に固定するように構成されているので、取付ベース１０を１箇所のボルト挿通孔１４の位置で固定しても取付ベース１０の回転を防止することができる。この結果電線管等の配線部材を設置する際の施工作業を簡略化することができ、しかも、施工費の削減も可能になる。
【００１７】
また、配線支持金具２０の係合脚部２１は、平面略Ｔ字形状に広がった係止端部２１Ａを備え、該係止端部２１Ａを取付ベース１０の係合孔１３の一端部に拡開形成した導入口１３Ａから係合孔１３に係合するように構成したことから、配線部材Ｐの取付け作業を簡略化することが可能になった。すなわち、配線支持金具２０の一方の係合脚部２１を係合孔１３に係止し配線支持金具２０を反転させた状態で、配線支持金具２０の内部に配線部材Ｐを装着することが可能になる。この結果、配線支持金具２０に配線部材Ｐを取付ける作業が片手でも行えるような極めて簡単な作業になった。
【００１８】
更に、配線部材Ｐは、一対の係合脚部２１の端部に形成された係止端部２１Ａにより、合計４か所の部分が係合孔１３に係合した状態になる。したがって、極めて安定が良く、作業中や配線後において配線支持金具２０に何らかの負荷が掛かっても配線支持金具２０が回転することなく配線部材Ｐを確実に固定できる。
そして、配線支持金具２０は、固定面部２２の配線部材Ｐ側に配置され、配線部材Ｐの周側面に沿って接触する押え具２３を備えているので、配線部材Ｐの周側面を押圧固定する際に、配線部材Ｐ側面の潰れを軽減することができる。
しかも、固定ネジ２４に緩み止め用のロックナット２５を装着しているので、トンネル由来の各種の振動や地震などによっても固定ネジ２４の緩みを防止することが可能になるものである。
【００１９】
請求項２のごとく、取付ベース１０の係合孔１３端部の裏側に、導入口１３Ａから導入した端部２１Ａを仮止めする係止突起１３Ｂを設けたことから、配線部材Ｐの固定作業を合理化する。すなわち、配線支持金具２０の一方の係合脚部２１を係合孔１３に係止し、配線支持金具２０の内部に配線部材Ｐを装着した後、他方の係合脚部２１を係止突起１３Ｂに仮止めできる。このため、作業者は配線部材Ｐから手を離した状態での作業が可能になり、配線部材Ｐを配線支持金具２０に装着した後の固定ネジ２４の締付作業を極めて容易に行うことができる。また、この係止突起１３Ｂは、仮止めした状態から固定ネジ２４を締め付けた後は、係合脚部２１の外れを防止する効果も奏する。
【００２０】
請求項３によると、取付ベース１０のボルト挿通孔１４を取付ベース１０の長手中央部に開穿すると共に、回転防止片１５は、取付ベース１０の長手中央から両端部に至るに伴って次第に高くなるように構成しているので、取付ベース１０の中央を貫通するアンカーボルトＵに強く締め付けると、付ベース１０の長手端部に近くなるほど、回転防止片１５が湾曲した壁面により強く圧接されるので大きな回転防止力を発揮する。
【００２１】
請求項４のように、取付ベース１０の係合孔１３の係合縁に、凹凸形状を成した滑り止め１６を形成したことで、トンネル由来の各種の振動等を受けても支持孔３１に係合させた配線支持金具２０の位置ずれを防止し長期にわたり係合状態を維持することができる。
【００２４】
このように、本発明によると、トンネル内の湾曲した壁面や天井面等に、各種ケーブルや電線管等の配線部材を設置する際の施工作業を簡略化することができ、しかも、施工費の削減も可能になるといった当初の目的を達成したものである。
【図面の簡単な説明】
【００２５】
【図１】本発明を実施するための一形態を示す使用状態時の分解斜視図である。
【図２】同じくトンネルの壁面に取り付けたときの使用状態の側断面図である。
【図３】同じく使用状態時の取付ベースを壁面側から見た背面図である。
【図４】取付ベースの要部を示す一部切欠断面図である。
【図５】配線支持金具に配線部材を装着する状態を示す側面図である。
【図６】係合孔の係止突起に配線支持金具を仮止めした状態を示す側面図である。
【図７】配線支持金具の固定ネジで配線部材を固定した状態を示す側面図である。
【図８】同じく１本の配線部材を支持するに好適な実施例における斜視図である。
【図９】同じく２本の配線部材を支持するに好適な実施例における斜視図である。
【発明を実施するための形態】
【００２６】
以下、図面を参照して本発明を実施するための一形態を説明すると、本発明の主要構成は、取付ベース１０と配線支持金具２０とで構成されている（図１参照）。
【００２７】
取付ベース１０は、例えば道路トンネルの壁面・天井面等に固定する部材であり、帯状板が屈曲されて断面コ字状を成している（図１参照）。そして、一対の支持脚１１の間に固定板面１２が形成されている。この固定板面１２の任意の１箇所に、ボルト挿通孔１４が開穿されている。このボルト挿通孔１４に、予め壁面に埋設したアンカーボルトＵを挿入して固定ナット３０で固定すると取付ベース１０が壁面に取り付けられる（図２参照）。また、予め壁面に埋設したアンカーに取付ボルトをねじ止めして取付ベース１０を固定することも可能である（図示せず）。
【００２８】
固定板面１２に開穿するボルト挿通孔１４の位置は、取付ベース１０の長さや配線部材Ｐの数により任意に変更される。例えば、固定する配線部材Ｐが１本で取付ベース１０が短いときは、取付ベース１０の一端部側に形成する（図８参照）。また、複数本の配線部材Ｐを長い取付ベース１０に固定する場合は、取付ベース１０の長手中央に形成する（図９参照）。このように、取付ベース１０の長さや固定する配線部材Ｐの本数に応じて任意の位置に１箇所のボルト挿通孔１４を形成するものである。
【００２９】
長い取付ベース１０を使用した場合、該取付ベース１０が湾曲するように設けている。例えば、トンネルにおける湾曲面の湾曲度がＲ＝４０００ｍｍ程度であった場合、取付ベース１０の長手中央に配したボルト挿通孔１４の位置でアンカーボルトＵを締め付けると、その湾曲度に沿って密着できる程度で取付ベース１０が湾曲するように構成している。
【００３０】
取付ベース１０の固定板面１２には、更に、矩形状を成した適数個の係合孔１３が開穿されている（図１、図８、図９参照）。そして、この係合孔１３の一端部を拡開して導入口１３Ａを形成している。後述する配線支持金具２０は、この導入口１３Ａから係合孔１３内に係合する。図示例では、係合孔１３の係合縁に、凹凸形状を成したローレット状の滑り止め１６を形成している（図４参照）。この滑り止め１６により係合孔１３に係合する配線支持金具２０の位置ずれを防止する。また、固定板面１２の適位置には、電線管等の配線部材Ｐを固定する位置を示す指示印等を設けることも可能である（図示せず）。
【００３１】
一方、取付ベース１０の支持脚１１に複数の回転防止片１５を突設している（図１、図８、図９参照）。この回転防止片１５は爪状に突出したもので、支持脚１１の壁面当接部位に連設している。この回転防止片１５が湾曲した壁面等に食い込むことで、取付ベース１０の回転を防止するものである（図２参照）。また、長尺の取付ベース１０を使用する場合、支持脚１１の長手中央から両端部に至るに伴って、僅かであるが回転防止片１５が次第に高くなるように構成している（図９参照）。このように構成すると、取付ベース１０の長手中央部に開穿したボルト挿通孔１４の位置でアンカーボルトＵを強く締め付けると、取付ベース１０が湾曲しながら壁面に当接する際に、取付ベース１０の長手端部に近くなる回転防止片１５ほど壁面により強く圧接されることになる。したがって、アンカーボルトＵの締付力を、回転防止力に最大限利用できるように構成している。
【００３２】
配線支持金具２０は、取付ベース１０の係合孔１３に係合して配線部材Ｐを固定する部材である（図２参照）。この配線支持金具２０は、一対の係合脚部２１の間に固定面部２２が形成された断面コ字状を成している（図１参照）。そして、これら係合脚部２１と固定面部２２とで配線部材Ｐの側面を囲みながら係合孔１３に係合する。
【００３３】
係合脚部２１は、平面略Ｔ字形状に広がった係止端部２１Ａを備えている（図１参照）。そして、この係止端部２１Ａを取付ベース１０の係合孔１３の導入口１３Ａから係合孔１３内側に挿入して係合孔１３に係合する。そうすると、一対の係合脚部２１の端部に形成された係止端部２１Ａによって、合計４か所の位置で係合孔１３に係合した状態になる（図３参照）。更に、係合孔１３の一端部の裏側に、導入口１３Ａから導入した係止端部２１Ａを仮止めする係止突起１３Ｂを設けている（図６参照）。この係止突起１３Ｂは、後述するように配線支持金具２０に配線部材Ｐを載置した状態から配線部材Ｐを固定するまでの作業を容易にする部位になっている。
【００３４】
固定面部２２の配線部材Ｐ側には押え具２３を配置している（図１参照）。この押え具２３は、配線部材Ｐの周側面に沿って接触する部材であり、固定ネジ２４の締付力によって配線部材Ｐを取付ベース１０の固定板面１２に押圧固定するように構成している。一方固定ネジ２４は、配線支持金具２０の固定面部２２に設けられており、緩み止め用のロックナット２５を装着している（図７参照）。
【００３５】
次に、本発明の使用例を説明すると、道路トンネル等の壁面に所定本数の配線部材Ｐを配線するとき、まず、その配線数に対応した数の係合孔１３を備えた所定長さの取付ベース１０が選択される。そして、配線する壁面に配線方向に沿って順次アンカーボルトＵを埋設しておく。次いで、配線方向に対して取付ベース１０をほぼ直交させた向きにした状態で、取付ベース１０のボルト挿通孔１４にアンカーボルトＵを挿入し、固定ナット３０をねじ込み締め付ける。仮に、取付ベース１０が長い場合、壁面に対して取付ベース１０の長手中央部に間隙が生じ、浮いた状態になっていても、固定ナット３０をアンカーボルトＵに強くねじ込むことで、取付ベース１０が長手中央から湾曲するので、支持脚１１に設けた全ての回転防止片１５を壁面に当接させることができる。
【００３６】
配線支持金具２０に配線部材Ｐを装着して取付ベース１０に固定するには、配線支持金具２０の一方の係合脚部２１を、取付ベース１０の係合孔１３に係止し、配線支持金具２０を反転させた状態にする（図５参照）。この状態で配線支持金具２０の内部に配線部材Ｐを載置する。更に、配線部材Ｐを載置した状態のまま、他方の係合脚部２１を係合孔１３の係止突起１３Ｂに仮止めする（図６参照）。そして、仮止めした状態から固定ネジ２４を締め付けると、押え具２３が配線部材Ｐを押圧固定する。その後、ロックナット２５にて、固定ネジ２４の締め付け位置を更に固定する（図７参照）。
【００３７】
本発明では、使用例としてトンネルの壁面に取り付ける場合を説明しているが、トンネル内に限らず、他の壁面例えばビルその他の建築物における湾曲した壁面、天井面等においても同様に使用可能である。尚、本発明は、これらの記載、図面中の符号等によって示された構造・形状等に限定されるものではない。
【符号の説明】
【００３８】
Ｐ  配線部材
Ｕ  アンカーボルト
１０  取付ベース
１１  支持脚
１２  固定板面
１３  係合孔
１３Ａ  導入口
１３Ｂ  係止突起
１４  ボルト挿通孔
１５  回転防止片
１６  滑り止め
２０  配線支持金具
２１  係合脚部
２１Ａ  係止端部
２２  固定面部
２３  押え具
２４  固定ネジ
２５  ロックナット
３０  固定ナット
【要約】
【課題】湾曲した壁面や天井面等に各種ケーブルを設置する際の施工作業を簡略化することができ、施工費の削減も可能になる配線支持金具を提供する
【解決手段】断面コ字状の取付ベース１０に係合する配線支持金具２０を構成する。取付ベース１０の支持脚１１に爪状の回転防止片１５を設ける。固定板面１２の１箇所にボルト挿通孔１４を開穿するボルト挿通孔１４の位置で壁面に取付ベース１０を固定する。配線支持金具２０の係合脚部２１に平面略Ｔ字形状に広がった係止端部２１Ａを設ける。取付ベース１０の係合孔１３の一端部に導入口１３Ａを拡開形成する。係止端部２１Ａを導入口１３Ａから係合孔１３内側に係合するように構成する。
【選択図】図１【図１】
0005893718.tif 000002
【図２】
0005893718.tif 000003
【図３】
0005893718.tif 000004
【図４】
0005893718.tif 000005
【図５】
0005893718.tif 000006
【図６】
0005893718.tif 000007
【図７】
0005893718.tif 000008
【図８】
0005893718.tif 000009
【図９】
0005893718.tif 000010